(57)【要約】      （修正有）【課題】分岐開閉器への配線後に、ロックレバーの取付状態の確認が容易に行えるとともに、ロックレバーを取付解除位置から取付固定位置へ変位させること、及び取付固定位置から取付解除位置へ変位させることを簡単に行うことができる分岐開閉器を提供する。【解決手段】キャビネット内部の中底に取付けられる分岐開閉器に、電線を差込接続する各極の電線差込孔１０５、１０６と、中底に設けられた係止部に係止されて分岐開閉器）を取外す方向への移動を規制し取付固定する一方、係止部との係止が解かれて取付を解除するロックレバー１０４を備えて構成するとともに、ロックレバー１０４に、各極の電線差込孔の間に配置されて電線差込孔の前方側に延出される延出部１０４３と、延出部の前方側端部に設けられた押圧部１０４４と、引上部１０４５とを形成して構成する。【選択図】図６
2013236427.tif 000002
【特許請求の範囲】
【請求項１】
前方が開口したボックスと該ボックスに取り付けされボックス前方側を覆うカバーからなるキャビネット内部の中底に取付けられる分岐開閉器であって、
前記分岐開閉器は、
電線を差込接続する各極の電線差込孔と、
前記中底に設けられた係止部に係止されることにより分岐開閉器を取外す方向への移動を規制して分岐開閉器を取付固定する一方、前記係止部との係止が解かれることにより取付を解除するロックレバーとを備えるとともに、
前記ロックレバーには、
前記各極の電線差込孔の間に配置されて、該電線差込孔の前記前方側に延出される延出部と、
該延出部の前方側端部に設けられたロックレバーの押圧部及び引上部が形成されて構成されたことを特徴とする分岐開閉器。
【請求項２】
前記引上部は、前記分岐開閉器を取外す方向に開放された凹部が形成されて構成されたことを特徴とする請求項１記載の分岐開閉器。
【請求項３】
前記凹部は、前記電線差込孔の前方側であって、前記押圧部の下方に形成されて構成されたことを特徴とする請求項２記載の分岐開閉器。
【発明の詳細な説明】
【技術分野】
【０００１】
本発明は、分電盤に組み込まれる分岐開閉器に設けられる、分電盤の中底への取付手段としてのロックレバーに関し、特に、分岐開閉器への電線配線後においても、操作性に優れたロックレバーを備えた分岐開閉器に関する。
【背景技術】
【０００２】
分電盤は、キャビネットの内部に、主開閉器、該主開閉器の二次側に接続される母線、該母線と各々接続される分岐開閉器などの内部機器を組み込んだもので、住宅等における電路の引込口装置として用いられている。住宅の場合、適用される電路は、通常、交流５０Ｈｚ又は６０Ｈｚの単相２線式電路（１００Ｖ）、もしくは単相３線式電路（１００／２００Ｖ）、又は直流電路である。
【０００３】
前記キャビネットは、分電盤の外郭を構成するもので、一般的に、前記内部機器を取付ける中底を取付け固定し、分電盤の上下左右の側面及び背面を形成するボックスと、内部機器の操作面側に臨む前面側を覆うよう前記ボックス前面側に設けられるカバーとを備えて構成される。なお、内部機器の操作部及び背面の電線引込み部分は、予め開口されて操作等の妨げにならないように構成されている。
【０００４】
分電盤に組み込まれる主開閉器や分岐開閉器などの回路遮断器等の内部機器は、該内部機器本体を中底に取り付けた状態で用いられ、回路遮断器に、取付固定、又は取付解除を行う取付固定解除手段が設けられている。特許文献１の図１には、回路遮断器を中底である取付板に対して取り付け、取り外しする構造が示されている。
【０００５】
この構造によれば、次のように取付板に対して回路遮断器の取り付け取り外しを行う。回路遮断器１の中底への取付固定解除手段であるロックレバー７の係止部７０３が回路遮断器底面より突出しない状態にしておき、取付板の突出部ａ９、突出部ｂ１０の間に遮断器がくるように、また４の爪部ｂが遮断器の６の凹部ｂの開口部にくるように取付板の上に載置する。この時点では爪部３、４と遮断器の凹部５、６はかみ合っていない。次に回路遮断器１を母線１１、１２の方向にスライドさせていくと母線１１、１２がプラグイン端子金具１５、１６に差し込まれていき、取付板に設けられた爪部３及び爪部４がそれぞれ回路遮断器の凹部５、凹部６と嵌合する。なお、ロックレバー７は枠部７０１内を図の上端部と下端部に選択的に指掛部７０２をもって操作でき、それにより係止部７０３が底面から突出したり突出しなかったりするものである。
【０００６】
この状態では、回路遮断器は特許文献１の図１の上方向（取付板に対する鉛直方向）と側面方向の動きが規制されるが、回路遮断器は母線１１，１２から遠い方向（遮断器の負荷側方向）へは取り外し可能である。
【０００７】
次にロックレバー７の指掛部７０２を指で取付板の方向に押圧すると、係止部７０３が回路遮断器の底面より突出し、取付板の嵌合部８に嵌合する。これにより母線から回路遮断器を取り外す方向の動きを規制することができ、取付板２に回路遮断器１が取り付けが完了した状態となる。
【０００８】
また、回路遮断器１を取付板２から取り外す場合は、ロックレバー７の指掛部７０２を取付板と反対の方向に指で引き上げ、嵌合部８とロックレバー７の係止部７０３との嵌合を解除する。次に回路遮断器１を母線１１、１２と反対の方向に引き抜くように移動させることにより、爪部３、及び爪部４と凹部５及び凹部６との嵌合が外れる。この状態で回路遮断器１を取付板から持ち上げると取付板２から取り外すことができる。
【０００９】
このような回路遮断器の取り付け構造においては、プラグインタイプの回路遮断器１を分電盤に設けられた取付板２に取り付けるために、取付板２と鉛直な方向の動きを規制する爪部３及び爪部４を取付板２に設けるとともに前記爪部３、４とそれぞれ対応する凹部５、及び凹部６を回路遮断器１に設け、取付板２に設けられた母線１１、１２から回路遮断器１を取り外す方向の動きを規制するロックレバー７を回路遮断器１に設けるとともに取付板２には前記ロックレバー７の係止部７０３が嵌合する嵌合部８を設けたものである。プラグインタイプの回路遮断器を取付板と平行にスライドさせながら取り付けることが可能となり、分電盤内に電線を引き回す場合にもロックレバー７の指掛部は回路遮断器の負荷側側面からわずかしか突出していないため電線被覆を傷付ける恐れがないものである。また、回路遮断器の取り外しに工具を用いる必要がなく、工具を携帯しておく必要性もない取付構造を提供するものである。
【先行技術文献】
【特許文献】
【００１０】
【特許文献１】特開２００２−１５０９１１号公報
【発明の概要】
【発明が解決しようとする課題】
【００１１】
ところで、昨今では、製品安全に対する取り組みが従来に増して重要視されてきている。回路遮断器並びに回路遮断器を組み込む分電盤にあっては、電力会社から供給される電気を各分岐回路に供給する役割を持っている一方、回路遮断器は配線を電気事故から保護する保安の役割も持っており、これらの役割を果たすための機能を充分に発揮するためには、使用に当たり回路遮断器が分電盤に正しく取り付けられた状態で使用されることが前提となっている。
【００１２】
分電盤における取付板に回路遮断器が正しく取り付けられているか否かを確認する場合、分電盤を構成する前面側のカバーを開き、回路遮断器と母線との接触状態を確認する。回路遮断器の並び具合が適正に配置されているか否かを目視確認することに加え、前述のロックレバーが取付板の方向に適正に押下げられた状態であるか否かを目視確認する。
【００１３】
しかしながら、ロックレバーは回路遮断器の底面近く中底近傍に位置し、回路遮断器における電線差込孔よりも底面側に位置するものであるから、ロックレバーの押し下げ状態を確認する場合には、工場出荷前にあっては、分電盤において取付板が載置されるケース内部を覗き込むようにして順次目視確認していく必要があり確認作業に時間を要していた。
【００１４】
また、分電盤を施工する現場にあっては、回路遮断器に電線を配線する前に確認する場合には同じくケース内部を覗き込むようにして目視確認していくが、電線を配線した後に再び確認する場合には、配線した電線が、ロックレバーの押し下げ状態を目視確認するための妨げとなり、電線を避けながら確認作業を行うこととなり、確認作業が行いにくく、ロックレバーの状態が適正でない場合、即ち回路遮断器の使用状態が適正でない場合には、電線を掻き分けたうえでロックレバーにアクセスし、ロックレバーを取付板に押下げる操作が必要となる。このため、取り付け確認作業や修正作業に時間を要するものとなっていた。
【００１５】
分電盤の施工現場などにおいて、回路遮断器を増設したり、定格電圧が異なるものに取り替えたりしたときに、万一ロックレバーを押下げし忘れた場合、回路遮断器は、取付板と鉛直な方向の位置の規制は行われるが、電源側端子から負荷側端子方向への抜け止めの規制が行われず、回路遮断器は母線からの抜け止めが解除された状態となり、母線から外れるおそれがある。
【００１６】
取替工事を行った後は確認作業を行うが、万一ロックレバーが押下げられない状態で、そのまま負荷側端子に電線を接続して使用を開始してしまうと、経年的な使用や振動等に伴い、回路遮断器が母線から外れて、若しくは外れかけて、母線と端子の接触不良や端子部の異常発熱の発生、また、停電の発生など、種々の電気的な不良が発生するおそれがある。
【００１７】
一方、電線を配線した後において、分岐開閉器に供給される電圧を切替えたり、分岐開閉器を交換するなど、分岐開閉器を取外す必要が生じた場合には、先と同様、電線を掻き分けたうえでロックレバーにアクセスし、ロックレバーの指掛部に指を掛けて上方向に引上げる操作が必要となる。このため、取付し操作においても、修正作業に時間を要するものとなっていた。
【００１８】
本発明は、上記課題に鑑みてなされたもので、分電盤の施工時や分岐開閉器の交換などを行う場合に、分岐開閉器への配線後においても、ロックレバーの取付状態の確認が容易に行えるとともに、ロックレバーを取付解除位置から取付固定位置へ変位させること、及び取付固定位置から取付解除位置へ変位させることを簡単に行うことができる分岐開閉器を提供することを目的とする。
【課題を解決するための手段】
【００１９】
本発明に係る分岐開閉器は、上述の課題を解決すべく構成されたもので、請求項１の発明によれば、前方が開口したボックスと該ボックスに取り付けされボックス前方側を覆うカバーからなるキャビネット内部の中底に取付けられる分岐開閉器に、電線を差込接続する各極の電線差込孔と、前記中底に設けられた係止部に係止されることにより分岐開閉器を取外す方向への移動を規制して分岐開閉器を取付固定する一方、前記係止部との係止が解かれることにより取付を解除するロックレバーとを備えて構成するとともに、前記ロックレバーには、前記各極の電線差込孔の間に配置されて、該電線差込孔の前記前方側に延出される延出部と、該延出部の前方側端部に設けられたロックレバーの押圧部及び引上部を形成して構成するとよい。
【００２０】
かかる構成によれば、分岐開閉器のロックレバーに、電線差込孔の前方側に延出する延出部と、該延出部の前方側端部に、ロックレバーを取付解除位置から取付固定位置へ変化させるための押圧部、及び取付固定位置から取付解除位置へ変化させるための引上部を形成して構成したから、分電盤の施工時や分岐開閉器の交換などを行う場合に、分岐開閉器への配線後においても、ロックレバーの取付状態の確認が容易に行えるとともに、ロックレバーを取付解除位置から取付固定位置へ変位させること、及び取付固定位置から取付解除位置へ変位させることを容易に行うことができる。
【００２１】
また、請求項２の発明によれば、前記引上部には、前記分岐開閉器を取外す方向に開放された凹部が形成されて構成されたことを特徴として構成するとよい。
【００２２】
かかる構成によれば、分岐開閉器を取外す方向から凹部に手指などを引掛けてロックレバーを引上げることができるから、容易にロックレバーを操作することができる。
【００２３】
また、請求項３の発明によれば、前記凹部は、前記電線差込孔の前方側であって、前記押圧部の下方に形成されて構成されたことを特徴として構成するとよい。
【００２４】
かかる構成によれば、前記凹部は、電線差込孔の前方側、前記押圧部の下方に形成されるから、電線が配線された状態においても、容易にロックレバーを操作することができる。
【発明の効果】
【００２５】
以上の如く、本発明によれば、分電盤の施工時や分岐開閉器の交換などを行う場合に、分岐開閉器への配線後においても、ロックレバーの取付状態の確認が容易に行えるとともに、ロックレバーを取付解除位置から取付固定位置へ変位させること、及び取付固定位置から取付解除位置へ変位させることを簡単に行うことができる分岐開閉器を提供することができる。
【図面の簡単な説明】
【００２６】
【図１】本発明の実施形態を示す分電盤の外観斜視図を示す。
【図２】分電盤における中底への分岐開閉器の取付図を示す。
【図３】分岐開閉器を背面側からみた図を示す。
【図４】分岐開閉器を底面側からみた図を示す。
【図５】分岐開閉器のロックレバー周辺の要部断面図を示す。
【図６】分岐開閉器のロックレバー周辺の要部斜視図を示す。
【発明を実施するための形態】
【００２７】
次に本発明の好ましい実施形態を、分岐開閉器が中底に取付けられた状態で配設される分電盤により詳細に説明する。
【００２８】
（第一の実施形態）
第１の実施形態に係る分電盤を図１に示した。該分電盤１０は、単相３線式の商用電路に用いられるものである。キャビネットの内部に、電流制限器、主開閉器、該主開閉器の二次側において接続部材を介して接続される母線、該母線と各々接続される分岐開閉器等の内部機器を収納するものであり、これら内部機器は中底に取付けられて、キャビネットに固定取付けされる。
【００２９】
前記キャビネット１１は、分電盤１０の外郭を構成する。前記キャビネット１１は、前記内部機器を取付ける中底が取付け固定され分電盤の上下左右の側面及び背面を覆う壁を形成するボックス２１１と、内部機器の操作面側に臨む前面側を覆うよう前記ボックス２１１前面側に設けられるカバー２１２とを備えて構成される。また、前記カバー２１２の前面側に、ドア２１３が閉まった状態で前記カバー２１２の前面を覆うように、ヒンジ構造を有して開閉できるよう設けられたドアが備えられている。
【００３０】
図２は、分岐開閉器としての回路遮断器１と、該回路遮断器１が取り付けられる取付板２と各相の母線、絶縁壁などを備えた内器ユニットとを示した図である。
【００３１】
以後、回路遮断器１の電源側端子側を正面側、負荷側端子側を背面側、操作ハンドル１０３が設けられた側を前面側、後述する取付板に取り付けられる側を底面側として図２乃至図５を用いて説明を行う。
【００３２】
回路遮断器１は、本体外殻が長手方向に分割構成される筐体１０１、１０２により形成される。該回路遮断器１は、電源と接続される電源側接続端子、該電源接続端子と接続される接点、該接点を開閉する接点開閉機構、異常電流が発生したときには接点開閉機構に作用して回路を切動作させる自動遮断機構、負荷側回路に電源を供給する負荷側接続端子等が筐体の内部に設けられ、前記接点開閉機構を筐体の外部から入切操作する操作ハンドル１０３が筐体の前面側に設けられている。負荷側には負荷側端子に電線を接続するための電線差込孔１０５、１０６が設けられている。電源側接続端子はプラグインタイプの端子を用い、負荷側接続端子は鎖錠接続端子を用いて構成している。また負荷側には、ロックレバー１０４が設けられている。
【００３３】
前記ロックレバー１０４は、外部つまみ１０４２により回路遮断器１の底面から突出する、しないを択一的に選択できるよう設けられており、回路遮断器１の底面側から前面側にかけて連なる略棒状に形成されている。
【００３４】
ロックレバー１０４の前記略棒状に形成された延出部１０４３は、各極の前記電線差込孔１０５、１０６の間に配置されるとともに、電線差込孔の前方側に延出され、この延出された端部側方を、筐体１０１、１０２に形成された支持部１０１２、１０２２により支えられている。
前記延出された端部前方側には、ロックレバー１０４を外部から手指にて操作するための押圧部１０４４と凹部１０４５とが設けられている。
【００３５】
前記凹部１０４５は、分岐開閉器を取外す方向に開放されて形成されており、手指が引っ掛かるよう、より詳しくは、手指の爪が引っ掛かる程度にロックレバーの幅方向に亘って押圧部１０４４の下方に形成されている。
【００３６】
これにより、分岐開閉器に配線が行われた後においても、該配線が差し込まれる電線差込孔よりも前方において押圧部１０４４と、凹部１０４５が備えられるから、従来のように電線を掻き分けて、分岐開閉器の交換や分岐開閉器への電圧切替の操作を行なう必要がなくなる。
【００３７】
中底である取付板は、金属製の板を折曲加工した審査請求下側取付板２１と、樹脂成形によって形成された下側取付板に重ねて載置される上側取付板２２とからなる。前記上側取付板２２には、前記内部機器が載置される載置部、及び回路遮断器等の内部機器や該内部機器に電力を供給する母線２０１、２０２、２０３が樹脂製の母線固定台に支持されて各々絶縁を保って取り付けられる。
【００３８】
上側取付板２２には、回路遮断器１を取り付けたときに回路遮断器と作用し合い、回路遮断器の前面側−底面側の中底方向の動きを規制する第一の規制部２０４、２０５が備えられ、下側取付板２１には正面側−背面側の方向の動きを規制する第二の規制部２０６が設けられている。
【００３９】
第一の規制部２０４は、端部が回路遮断器を取外す方向に開放された係合片となっている。回路遮断器１側には、図４に示したように回路遮断器１の底面に前記第一の規制部が嵌り込む凹部１０７と、凹部の底面側に設けられて前記係合片と作用し合う係合片１０８が設けられている。回路遮断器１の取付板２への取り付け時に、夫々の係合片が係合することにより、回路遮断器の背面側において前面側−底面側の方向の動きが規制される。
【００４０】
また、第一の規制部２０５は、上側取付板２２に突出形成したものであり、回路遮断器１の正面側に形成された前記第二の規制部２０５の突出部が嵌り込む凹部（図示しない）と嵌合しあう。これら突出部と凹部が係合することにより、回路遮断器の正面側において前面側−底面側の方向の動きが規制される。このように回路遮断器の正面側と背面側の両方において前面側−底面側の方向の動きを規制するため、より確実に取付板に固定することができる。
【００４１】
次に、第二の規制部２０６は、下側取付板２１の縁を曲げ加工して係止部を形成したものである。回路遮断器１の背面側には、回路遮断器１の底面から突出する、しないを外部つまみ１０４２により択一的に選択するロックレバー１０４が設けられており、回路遮断器１の底面から突出したロックレバーの係止部１０４１が前記第二の規制部２０６に引掛かり、係合することにより、回路遮断器の正面側−背面側の方向の動きが規制される。
【００４２】
取付板２に回路遮断器１を取り付けるときには、回路遮断器１を上側取付板２２の上で母線の方向にスライドさせていくことにより、母線が電源側端子に差し込まれていくと同時に、前記第一の規制部２０４、２０５が回路遮断器１の係合片１０８、前記凹部と係合することにより、取付板２上の適正な位置に回路遮断器１が載置される。（ステップ１）そして、前記ロックレバー１０４の外部つまみ１０４２又は押圧部１０４４を取付板２の方向に押下げることにより、回路遮断器１の底面からロックレバーの係止部１０４１が突出して取付板２の凹部２０６と嵌合し、取り付けが完了する。（ステップ２）
【００４３】
取付板２から回路遮断器１を取り外すときには、前記ロックレバー１０４の外部つまみ１０４２を取付板と反対の方向（回路遮断器１の前面側）に引き上げて、ロックレバーの係止部１０４１を底面から突出しない状態にし、回路遮断器１を背面側に引き抜くように移動させることにより、前記第一の規制部１０４、２０５と回路遮断器との係合が外れると同時に母線と接続端子の接続が解かれ、取り外しが完了する。
【００４４】
また、図４に示されたように、ロックレバー１０４には、該ロックレバー１０４の回路遮断器１の底面から突出する位置、しない位置が択一的に決まるよう、弾性的に形成された弾性腕部１０４６が形成されており、筐体１０１、１０２の背面−底面側の内部に前記弾性腕部と摺動する乗り越え突起１０１１、１０２１が形成されている。ロックレバーの外部つまみ１０４２を操作して、ロックレバーを取付板の方向に押下げ／前面側に引き上げる場合に、前記弾性腕部が撓みながら乗り越え突起１０１１、１０２１を乗り越えることにより、ロックレバーの位置が択一的に決まり、位置が保持される。
【００４５】
このような構成であるため、ロックレバーを取付板の方向に押下げるときに、弾性腕部１０４６の端部が乗り越え突起１０１１、１０２１の頂点に達した後ははずみをつけて所定の固定位置に変位する。また、ロックレバー１０４を引き上げるときも弾性腕部１０４６の端部が乗り越え突起１０１２、１０２２の頂点に達した後ははずみをつけて所定の解除位置に変位する。
【００４６】
また、ロックレバーの係止部１０４１には、底面側が取付板に対して斜面となった台形状乗り越え突起１０４７が形成されている。回路遮断器を取付板２に載置しようとした場合に、例えばロックレバー１０４１が回路遮断器の底面から突出したままで回路遮断器を母線の方向にスライドさせていくと、前記斜面が取付板２に押し付けられる力がロックレバー１０４を前面側に押し上げる力に変換されてロックレバー１０４が前面側に押し上げられる。このとき、弾性腕部１０４６が前記乗り越え突起１０１１、１０２１を乗り越えてしまわない程度の位置関係になっていれば、回路遮断器１のスライドが進み、取付板２の凹部嵌合部にロックレバー１０４１が差し掛かったときには、前面側に押し上げられる力がなくなるとともに、弾性腕部１０４６が元の突出状態に戻ろうとする力が働き、ロックレバーの係止部１０４１は回路遮断器１の底面から突出し、外部つまみを押下げる必要なく、取り付けが完了する。
【００４７】
ロックレバー１０４の前面側の延出部１０４３には、該延出部の一部の肉が掘り込まれることにより摺動部が形成されている。該摺動部はガイドの役割を果たすものである。
【００４８】
前記摺動部は、筐体に設けられた筒状の支持部１０１２、１０２２により該支持部の内側を摺動自在に支持される。
【００４９】
図３、図６に示したように、ロックレバー１０４が取付固定位置もしくは取付解除位置にある場合、そのロックレバーの端部の押圧部１０４４は、電圧差込孔１０５、１０６の前方に位置することになるため、電線を配設した後において、前方からロックレバーの位置が視認しやすく、特定の分岐開閉器におけるロックレバーが、取付固定位置にないことが視認できる。
【００５０】
このような場合、前方側から取付固定位置にないロックレバーの押圧部１０４４を押圧すると、ロックレバー１０４は摺動自在に構成されているから、押圧した力が前記延出部に伝わり、ロックレバー１０４が下方に変位しはじめ、前記弾性腕部１０４６が撓みながら乗り越え突起１０１１、１０２1の頂点を乗り越えるまで変位した後は、はずみをつけて所定の取付固定位置にセットされ、分岐開閉器の固定が行われる。
【００５１】
このようにロックレバー１０４が取付解除位置にある分岐開閉器が存在する場合、前方側からでも、その分岐開閉器をキャビネットの外部から容易に視認・識別することができる。
また、ロックレバー１０４を取付解除位置から取付固定位置にするよう修正する場合においても、前方側からロックレバーの押圧部１０４４を押圧することにより、容易に取付固定操作を行うことができる。さらに、ロックレバー１０４を取付固定位置から取付解除位置にするよう操作する場合においても、前方側からロックレバーの凹部１０４５に手指を掛けて引上げることにより、容易に取り付け解除操作を行なうことができる。
【００５２】
取付板２に分岐開閉器１を複数並設配置させていく場合に万が一、前記ステップ１のままで取付作業を終えてしまったものがある場合、出荷前の点検時や施工時の点検時に分電盤の前方側からの目視確認を行うことにより、ロックレバー１０４が前方側に突出している、即ち、適正に取り付けられていない回路遮断器があることを容易に気付くことができる。
【００５３】
一方で、前記ステップ２を実施すべくロックレバーを押下げる場合には、ロックレバーの押圧部１０４４を押圧することにより、ロックレバー１０４に力を伝達することができ、ロックレバーを押下げることができる。特に、現場での配線作業を完了した後において、ステップ１のままで取付作業を終えてしまったものがある場合には、配線を掻き分けて、ロックレバー１０４の外部つまみ１０４２を押下げる必要がなく、安全性を担保できることに加えて施工時の利便性の向上が期待できる。
【００５４】
また、分岐開閉器の電圧を切替えたり、分岐開閉器を取り替える必要があるときには凹部１０４５に手指や爪を引掛けて引上げることにより、容易にロックレバーの取付解除を行うことができる。
【００５５】
なお、実施形態においては、単相３線式電路に用いられる分電盤の形態を示したが、単相２線式電路に用いられる分電盤や、直流電路に用いられる分電盤の中底に取付けられる操作ハンドル及びロックレバーを備える分岐開閉器に本願発明における取付固定忘れを極力防止することができる構造を適用して分電盤を構成してもよい。
【符号の説明】
【００５６】
１  分岐開閉器
１０１  筐体
１０２  筐体
１０３  操作ハンドル
１０１１  乗り越え突起
１０２１  乗り越え突起
１０１２  支持部
１０２２  支持部
１０４  ロックレバー
１０４１  ロックレバーの係止部
１０４２  外部つまみ
１０４３  延出部
１０４４  押圧部
１０４５  凹部
１０４６  弾性腕部
１０４７  台形状乗り越え突起
１０５  電線差込孔
１０６  電線差込孔
１０７  凹部
１０８  係合部
２  取付板
２０１  母線
２０２  母線
２０３  母線
２０４  第一の規制部
２０５  第一の規制部
２０６  第二の規制部
１０  分電盤
１１  キャビネット
２１１  カバー
２１２  ボックス
２１３  ドア
【図１】
2013236427.tif 000003
【図２】
2013236427.tif 000004
【図３】
2013236427.tif 000005
【図４】
2013236427.tif 000006
【図５】
2013236427.tif 000007
【図６】
2013236427.tif 000008